(57)【特許請求の範囲】
【請求項１】
底側面，前側面，後側面，左側面，右側面，そして上側面を有しているとともに、左側面及び右側面の少なくとも一方及び後側面にカメラが取り付けられるカメラポートを有している倒立顕微鏡フレームと、
前記倒立顕微鏡フレームの左側面及び右側面の他方に配置された焦準部本体と、
前記焦準部本体にガイド機構を介して連結され前記倒立顕微鏡フレームの上方に延出され先端部に対物レンズレボルバが固定されているレボルバ保持台と、
前記焦準部本体に隣接して配置され前記レボルバ保持台を上下移動可能にしているモータと、
前記焦準部本体に収容され、前記モータを駆動するための駆動電流を送信する電装基板と、
前記倒立顕微鏡フレームの内部において前記対物レンズレボルバに保持された対物レンズの観察光路に配置された結像レンズと、
前記倒立顕微鏡フレームの内部の前記観察光路において前記対物レンズから前記結像レンズよりも遠い位置に配置され、前記観察光路を、前記倒立顕微鏡フレームの前記左側面及び前記右側面の前記少なくとも一方の前記カメラポート及び前記後側面の前記カメラポートに選択的に向ける光路分割手段と、
を備えていることを特徴とする倒立顕微鏡。
【請求項２】
前記倒立顕微鏡フレームの内部の前記観察光路において前記対物レンズから前記結像レンズよりも近い位置に選択的に配置され、前記観察光路から外れて配置されたときに前記観察光路が前記結像レンズに入射し、前記観察光路に配置されたときに前記観察光路を前記倒立顕微鏡フレームの前記左側面及び前記右側面の前記他方に反射するとともに前記結像レンズに透過させる半透明光学素子と、
前記倒立顕微鏡フレームの前記左側面及び前記右側面の前記他方において前記半透明光学素子からの反射光路に構成されカメラが取り付けられる増設カメラポートと、
をさらに備えたことを特徴とする請求項１記載の倒立顕微鏡。
【請求項３】
前記倒立顕微鏡フレームの前記左側面及び前記右側面の前記少なくとも一方の前記カメラポートに取り付けられ、前記少なくとも一方の前記カメラポートに前記倒立顕微鏡フレームの内部の前記観察光路から前記光路分割手段により導入された反射光路に挿脱可能な半透明光学素子が配置されている分割ポートユニット本体を、さらに備えていて、
前記分割ポートユニット本体の前記半透明光学素子は、前記反射光路に配置されたときに前記反射光路を２つの分割光路に分割し、
前記分割ポートユニット本体が、前記分割ポートユニット本体の前記半透明光学素子からの２つの分割光路に対応して設けられ夫々にカメラが取り付けられる２つのカメラポートが設けられていて、
前記分割ポートユニット本体の前記２つのカメラポートの一方は、前記分割ポートユニット本体の前記半透明光学素子が前記反射光路から外れて配置されたとき、前記倒立顕微鏡フレームの内部の前記観察光路から前記光路分割手段により前記分割ポートユニット本体に導入された反射光路上に配置されている、
ことを特徴とする請求項１又は２記載の倒立顕微鏡。
【請求項４】
前記焦準部本体，前記ガイド機構，前記レボルバ保持台，前記モータ，そして前記電装基板が一体にユニット化されていて、ユニット単位で前記倒立顕微鏡フレームの左側面及び右側面の前記他方に取り付け取り外しが可能である、
ことを特徴とする請求項１乃至３のいずれか１項に記載の倒立顕微鏡。
【発明の詳細な説明】
【０００１】
【発明の属する技術分野】
本発明は、複数の撮影用光路を有する倒立顕微鏡に関するものである。
【０００２】
【従来の技術】
倒立型顕微鏡は、医学や生理学の生きた細胞を扱う各分野の研究、各種金属材料の組織観察や欠陥、含有物検出等の工業系の研究・検査などにおいて幅広く利用されている。
【０００３】
ところで、生物学分野の研究用に使用される倒立顕微鏡は、記録手段として３５ｍｍカメラ等の単一のカメラを用いるに留まらず、冷却蓄積型の高感度ＣＣＤカメラと高速撮影用カメラを同時に使用したり、異なる波長の同時観察を行うために複数のカメラを用いて同時撮像を行うような場合もある。
【０００４】
従って、このような用途に用いられる倒立顕微鏡は、使用者の要求に合わせて同時撮影可能なカメラポートの増設を可能にした拡張性を有する構造であることや、これらカメラポートを増設するための改造が簡単に行える構造であることが重要になっている。また、これらカメラの取付面の周辺は、大型のカメラが取り付けられるように余計な突出が無いことも望ましい。
【０００５】
従来、使用者の要求に合わせて顕微鏡本体の改造を可能にした倒立顕微鏡として、特開平８−４３７４１号公報に開示されるように、結像レンズと光路分割プリズムを焦準機構と一体的に顕微鏡本体の上方向から着脱可能とし、反射ミラーを顕微鏡本体の底面部から、カメラポートを顕微鏡本体の前および側面からそれぞれ着脱可能とし、さらに電装基板を顕微鏡本体の後面部から着脱可能とした構成のものがある。
【０００６】
また、カメラポートの増設を可能にした倒立顕微鏡として、特開平７−３５９８６号公報に開示されるように、結像レンズの下側で顕微鏡本体の前方向と左右側面方向に撮像光路を分割するとともに、底面方向にも撮像光路を設置可能とした構成のものがある。
【０００７】
【発明が解決しようとする課題】
しかしながら、特開平８−４３７４１号公報に開示された倒立顕微鏡では、対物レンズの光軸より後方に焦準機構が配置され、さらに、その後側に電装基板が配置される構成になっているので、顕微鏡本体の後側面には、顕微鏡本体の改造によってもカメラポートを増設することは不可能であった。つまり、顕微鏡本体の後側面は改造対応の拡張性を持っておらず、カメラポートを増設するための拡張性が十分でないという問題があった。
【０００８】
また、特開平７−３５９８６号公報に開示されている倒立顕微鏡は、倒立顕微鏡本体の左右前方向に各々カメラを配置することは可能であるが、これらのカメラに同時に光線を供給することができない。このため、複数のカメラを用いて同時撮像を行いたい場合も、左右前方向のカメラのうちのいずれかと底面光路に配置されたカメラの２個による同時撮影は可能なものの、３個以上のカメラでの同時撮影は不可能であった。
【０００９】
本発明は、上記事情に鑑みてなされたもので、カメラポート増設のための拡張性の充実を図ることができるとともに、同時撮影可能なカメラポートを増設できる倒立顕微鏡を提供することを目的とする。
【００１０】
【課題を解決するための手段】
請求項１記載の発明に従った倒立顕微鏡は、
底側面，前側面，後側面，左側面，右側面，そして上側面を有しているとともに、左側面及び右側面の少なくとも一方及び後側面にカメラが取り付けられるカメラポートを有している倒立顕微鏡フレームと、
前記倒立顕微鏡フレームの左側面及び右側面の他方に配置された焦準部本体と、
前記焦準部本体にガイド機構を介して連結され前記倒立顕微鏡フレームの上方に延出され先端部に対物レンズレボルバが固定されているレボルバ保持台と、
前記焦準部本体に隣接して配置され前記レボルバ保持台を上下移動可能にしているモータと、
前記焦準部本体に収容され、前記モータを駆動するための駆動電流を送信する電装基板と、
前記倒立顕微鏡フレームの内部において前記対物レンズレボルバに保持された対物レンズの観察光路に配置された結像レンズと、
前記倒立顕微鏡フレームの内部の前記観察光路において前記対物レンズから前記結像レンズよりも遠い位置に配置され、前記観察光路を、前記倒立顕微鏡フレームの前記左側面及び前記右側面の前記少なくとも一方の前記カメラポート及び前記後側面の前記カメラポートに選択的に向ける光路分割手段と、
を備えていることを特徴としている。
【００１１】
請求項２記載の発明は、請求項１記載の倒立顕微鏡において、
前記倒立顕微鏡フレームの内部の前記観察光路において前記対物レンズから前記結像レンズよりも近い位置に選択的に配置され、前記観察光路から外れて配置されたときに前記観察光路が前記結像レンズに入射し、前記観察光路に配置されたときに前記観察光路を前記倒立顕微鏡フレームの前記左側面及び前記右側面の前記他方に反射するとともに前記結像レンズに透過させる半透明光学素子と、
前記倒立顕微鏡フレームの前記左側面及び前記右側面の前記他方において前記半透明光学素子からの反射光路に構成されカメラが取り付けられる増設カメラポートと、
をさらに備えたことを特徴としている。
【００１２】
請求項３記載の発明は、請求項１又は２記載の倒立顕微鏡において、
前記倒立顕微鏡フレームの前記左側面及び前記右側面の前記少なくとも一方の前記カメラポートに取り付けられ、前記少なくとも一方の前記カメラポートに前記倒立顕微鏡フレームの内部の前記観察光路から前記光路分割手段により導入された反射光路に挿脱可能な半透明光学素子が配置されている分割ポートユニット本体を、さらに備えていて、
前記分割ポートユニット本体の前記半透明光学素子は、前記反射光路に配置されたときに前記反射光路を２つの分割光路に分割し、
前記分割ポートユニット本体が、前記分割ポートユニット本体の前記半透明光学素子からの２つの分割光路に対応して設けられ夫々にカメラが取り付けられる２つのカメラポートが設けられていて、
前記分割ポートユニット本体の前記２つのカメラポートの一方は、前記分割ポートユニット本体の前記半透明光学素子が前記反射光路から外れて配置されたとき、前記倒立顕微鏡フレームの内部の前記観察光路から前記光路分割手段により前記分割ポートユニット本体に導入された反射光路上に配置されている、
ことを特徴としている。
請求項４記載の発明は、請求項１乃至３のいずれか１項に記載の倒立顕微鏡において、
前記焦準部本体，前記ガイド機構，前記レボルバ保持台，前記モータ，そして前記電装基板が一体にユニット化されていて、ユニット単位で前記倒立顕微鏡フレームの左側面及び右側面の前記他方に取り付け取り外しが可能である、
ことを特徴としている。
【００１３】
この結果、本発明によれば、倒立顕微鏡の機能部位であるところの焦準部と電装基板が顕微鏡フレームの他方側面に集中的に配置することにより、倒立顕微鏡フレームの一方側面と後側面のカメラポートの周辺において機能部位により突出する部分を皆無にでき、カメラポートに取り付けられるカメラのサイズおよび形状の制約を大幅に緩和することができる。
【００１４】
また、第１の結像レンズを通過する前の前記観察光路上で光路分割を行うことにより、新たなカメラポートを増設することが可能である。また、光路分割素子としてハーフミラーやダイクロイックミラーなどの半透明光学素子を用いることで、複数のカメラにより一次像の同時観察が可能となる。
【００１５】
さらに、顕微鏡フレームの一方側面のカメラポートに取り付けた分割ポートユニットにより、新たなカメラポートを増設することが可能となり、さらに多くのカメラにより一次像の同時観察が可能となる。
【００１６】
【発明の実施の形態】
以下、本発明の実施の形態を図面に従い説明する。
【００１７】
(第１の実施の形態)
図１および図２は、本発明の第１の実施の形態が適用される倒立顕微鏡の概略構成を示し、図１は、倒立顕微鏡を前方向から見た断面図、図２は、上方向から見た断面図である。
【００１８】
図において、１は倒立顕微鏡フレームで、この倒立顕微鏡フレーム１は、右側面と上側面に、内部機構を組み込むための大きな開口部１ａ、１ｂを有し、左側面と後側面にカメラポートを取り付けるための穴１ｃ、１ｄを有し、さらに底側面に反射ミラーを挿脱するための穴１ｅを有している。
【００１９】
倒立顕微鏡フレーム１の右側面の開口部１ａには、焦準部本体２が配置されている。焦準部本体２には、ガイド機構４を介して倒立顕微鏡フレーム１の上方に延出されたレボルバ保持台３が連結され、焦準部本体２に隣接して配置されたモータ５によりレボルバ保持台３を上下移動可能にしている。レボルバ保持台３の先端部には、倒立顕微鏡フレーム１上面の開口部１ｂ上方に位置される図示しない対物レンズを保持する対物レンズレボルバ６が固定されている。
【００２０】
また、焦準部本体２には、凹部２ａが形成され、この凹部２ａ内部にモータ５等の電動部を駆動するための駆動電流を送信する電装基板７が収容されている。この電装基板７には、外部から電カと制御信号をケーブルを介して入カする外部入力用コネクタ８が設けられている。そして、これら電装基板７および外部入力用コネクタ８は、カバー９により覆われている。この場合、カバー９の表面は、焦準部本体２の倒立顕微鏡フレーム１の開口部１ａから露出する表面とフラットな高さになっている。
【００２１】
そして、これら焦準部本体２、レボルバ保持台３、ガイド機構４、モータ５、対物レンズレボルバ６、電装基板７、外部入力用コネクタ８およびカバー９は、一体にユニット化されており、これらをユニット単位で倒立顕微鏡フレーム１に取り付け、取り外しできるようになっている。
【００２２】
一方、倒立顕微鏡フレーム１上面の開口部１ｂ内部には、光学ユニット本体１０が設けられている。この光学ユニット本体１０は箱型形状をなしており、その底部には、対物レンズレボルバ６に保持された図示しない対物レンズと同一の光軸Ｏの観察光路上に第１の結像レンズとしての結像レンズ１１が配置され、また、この結像レンズ１１の上方空間には、倍率変換レンズ１２が操作腕１２１の操作により光軸Ｏに対して挿脱できるように配置されている。また、光学ユニット本体１０には、倍率変換レンズ１２を光軸Ｏに対して挿脱するための図示しないスライド機構と一体的に構成された上蓋１３が光学ユニット本体１０上面を覆うように設けられている。
【００２３】
上蓋１３上方の対物レンズレボルバ６までの間の空聞は、図示しない落射蛍光装置の取付スペースとして使用され、この空間を利用して倍率変換レンズ１２を上蓋１３と一体的に倒立顕微鏡フレーム１から取り外しできるように構成されている。
【００２４】
結像レンズ１１の下方位置、つまり結像レンズ１１を通過した観察光路には、光路分割手段としての光路分割プリズム１４ａ、１４ｂが光軸Ｏと直交する方向に並べて配置されており、光路切換機構１５によって選択的に光軸Ｏ上に配置できるようにしている。
【００２５】
これら光路分割プリズム１４ａ、１４ｂは、光軸Ｏの上方向からの光の反射方向(倒立顕微鏡フレーム１の左側面方向または後側面方向)や、その透過光量と反射光量の比率を任意に組み合わせて構成されるものである。この場合、光路分割プリズム１４ａが光軸Ｏ上に位置されたときの光線の反射光路は、倒立顕微鏡フレーム１の左側面方向となり、光路分割プリズム１４ｂが光軸Ｏ上に位置されたときの光線の反射光路は、倒立顕微鏡フレーム１の後側面方向になっている。
【００２６】
倒立顕微鏡フレーム１の左側面の穴１ｃは、カメラポートを構成するもので、左サイドポートマウント１６が設置され、カメラアダプタ１７を介してカメラ１８が取り付けられている。また、倒立顕微鏡フレーム１の後側面の穴１ｄもカメラポートを構成するもので、バックポートマウント１９が設置され、カメラアダプタ２０を介してカメラ２１が取り付けられている。ここで、これらカメラ１８、２１の撮像面は、結像レンズ１１の焦点位置、つまり倒立顕微鏡の一次結像位置に配置されている。また、倒立顕微鏡フレーム１の後側面のカメラアダプタ２０のカメラ胴付き面は、倒立顕微鏡フレーム１の後側面よりも外側に位置している。
【００２７】
このような構成によると、倒立顕微鏡の機能部位である焦準部本体２、レボルバ保持台３、ガイド機構４およびモータ５などの焦準部材と、電装基板７および外部入力用コネクタ８などの電装部が倒立顕微鏡フレーム１の右側面に集中的に配置されている。このため、倒立顕微鏡フレーム１の左側面と後側面のカメラポートの周辺において機能部位により突出する部分を皆無にできるので、これらカメラポートに取り付けられるカメラ１８、２１のサイズおよび形状の制約を大幅に緩和することができる。
【００２８】
また、電装基板７を焦準部本体２の凹部２ａに収容するように構成しているので、倒立顕微鏡フレーム１の右側面からの突出量を小さく抑えることができ、倒立顕微鏡の小型化を図ることもできる。
【００２９】
(第２の実施の形態)
次に、第２の実施の形態について説明する。
【００３０】
図３および図４は、本発明の第２の実施の形態が適用される倒立顕微鏡の概略構成を示し、図３は、倒立顕微鏡を前方向から見た断面図、図４は、上方向から見た断面図である。なお、これら図３および図４は、図１および図２と同一部分には同符号を付して説明を省略する。
【００３１】
この場合、結像レンズ１１の上方空間、つまり、結像レンズ１１を通過する前の観察光路上には、上述した倍率変換レンズ１２に代わって半透明光学素子としてハーフミラー３１が操作腕３１１の操作により光軸Ｏに対して挿脱可能に配置されている。また、光学ユニット本体１０には、ハーフミラー３１を光軸Ｏに対して挿脱するための図示しないスライド機構と一体的に構成された上蓋３２が光学ユニット本体１０上面を覆うように設けられている。
【００３２】
そして、この場合も、上蓋１３上方の対物レンズレボルバ６までの間の空聞は、図示しない落射蛍光装置の取付スペースとして使用され、この空間を利用してハーフミラー３１を上蓋１３と一体的に倒立顕微鏡フレーム１から取り外しできるように構成されている。
【００３３】
この場合、ハーフミラー３１が光軸Ｏ上より外れて位置されるときは、光軸Ｏの上方向からの光は、そのまま結像レンズ１１に入射し、また、ハーフミラー３１が光軸Ｏ上に位置されたときは、光軸Ｏの上方向からの光を倒立顕微鏡フレーム１の右側面方向に反射するとともに、結像レンズ１１側に透過するようにしている。この場合、ハーフミラー３１の反射光路上に位置される光学ユニット本体１０、焦準部本体２、レボルバ保持台３には、それぞれ反射光を通過するための開口が設けられている。
【００３４】
倒立顕微鏡フレーム１の右側面に配置される焦準部本体２には、ハーフミラー３１からの反射光路上に増設カメラポートが構成され、第２の結像レンズである結像レンズ３４を内蔵したカメラアダプタ３３が設けられている。このカメラアダプタ３３には、カメラ３５が取り付けられている。ここでカメラ３５の撮像面は、結像レンズ３４の焦点位置、つまり倒立顕微鏡の一次結像位置に配置されている。また、カメラアダプタ３３のカメラ胴付き面は、焦準部本体２による突出部よりも外側に位置している。
【００３５】
一方、倒立顕微鏡フレーム１の左側面の穴１ｃに設置された左サイドポートマウント１６には、分割ポートユニット本体３６が取り付けられている。この分割ポートユニット本体３６は、左サイドポートマウント１６を介して導入される観察光路、つまり、光路分割プリズム１４ａが光軸Ｏ上に位置されたときの反射光路の光軸Ｏ’を２方向に分割可能にしたもので、これら２方向の分割光路に対応してカメラポートを構成する開口部３６ａ、３６ｂが設けられている。
【００３６】
また、分割ポートユニット本体３６内部の光軸Ｏ’上には、ハーフミラー３７が配置されている。このハーフミラー３７は、スライド機構３８に設けられ、スライド機構３８のスライド操作により光軸Ｏ’に対し挿脱可能になっている。
【００３７】
この場合、ハーフミラー３７が光軸Ｏ’より外れて位置されたときは、光軸Ｏ’に沿った光は、開口部３６ａに設けられた第１のカメラアダプタ３９を介してカメラ４０に入射し、また、ハーフミラー３７が光軸Ｏ’上に位置されたときは、光軸Ｏ’に沿った光は、開口部３６ｂ側に反射され、この反射光路上の第２のカメラアダプタ４１を介してカメラ４２に入射するとともに、開口部３６ａ側に透過され、この透過光路上の第１のカメラアダプタ３９を介してカメラ４０に入射するようにしている。ここで、カメラ４０、４２の撮像面は、結像レンズ１１の焦点位置、つまり倒立顕微鏡の一次結像位置に配置されている。
【００３８】
このような構成によると、結像レンズ１１の上方空間にハーフミラー３１を挿脱可能に配置し、このハーフミラー３１の反射光路上の倒立顕微鏡フレーム１の右側面に結像レンズ３４を内蔵したカメラアダプタ３３が設けられ、新たな一次像撮像用のカメラポートが増設可能になっている。この際、第１の実施の形態で述べたように、電装基板７を焦準部本体２の凹部２ａに収容するように構成することで、倒立顕微鏡フレーム１の右側面からの突出量を小さく抑えることができるので、この倒立顕微鏡フレーム１の右側面に取付けるカメラ３５のサイズおよび形状の制約を大幅に緩和することができる。
【００３９】
また、倒立顕微鏡フレーム１の左側面の穴１ｃに設置された左サイドポートマウント１６には、挿脱可能なハーフミラー３７を有する分割ポートユニット本体３６が設けられ、ハーフミラー３７の透過光路上には、カメラアダプタ３９が設けられるとともに、反射光路上には、カメラアダプタ４１が設けられ、それぞれ一次像撮像用のカメラポートが増設可能になっている。
【００４０】
これにより、ハーフミラー３１の反射光路上のカメラアダプタ３３、ハーフミラー３７の透過光路上のカメラアダプタ３９、反射光路上のカメラアダプタ４１により合計３個所のカメラ３５、４０、４２による一次像の同時撮像を行うことができる。
【００４１】
なお、上述したハーフミラー３１および３７をダイクロイックミラーに置き換えれば、３個所のカメラ３５、４０、４２により異なる波長による同時撮像が可能となる。
【００４２】
(第３の実施の形態)
次に、第３の実施の形態について説明する。
【００４３】
図５および図６は、本発明の第３の実施の形態が適用される倒立顕微鏡の概略構成を示し、図５は、倒立顕微鏡を上方向から見た断面図、図６は、要部を拡大して示す図である。なお、これら図５および図６は、図３および図４と同一部分には同符号を付して説明を省略する。
【００４４】
この場合、倒立顕微鏡フレーム１の底面の穴１ｅには、ミラー切換ユニット５１が設けられている。このミラー切換ユニット５１には、ミラー５２が設けられている。このミラー５２は、光軸Ｏの上方からの光を図示しない観察光学系の方向に反射させる第１の角度(図６の実線位置)と、光軸Ｏの上方からの光を下方へ通過させるように待避する第２の角度(図６の破線位置)に切換えられるようになっている。また、ミラー切換ユニット５１の下方には、カメラポートとしての開口部５１１が設けられ、カメラアダプタ５３を介してカメラ５４が取り付けられる。
【００４５】
ここで、カメラ５４の撮像面は、結像レンズ１１の焦点位置、つまり倒立顕微鏡の一次結像位置に配置されている。
【００４６】
このような構成によると、倒立顕微鏡フレーム１の底面部に新たな一次像撮像用のカメラポートを増設することが可能になり、光路分割プリズム１４ｂをハーフプリズムもしくはダイクロイックプリズムとすることにより、合計４個所のカメラ３５、４０、４２、５４による一次像の同時撮像を行うことができる。
【００４７】
なお、本発明は、上記実施の形態に限定されるものでなく、実施段階では、その要旨を変更しない範囲で種々変形することが可能である。
【００４８】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【００４９】
上述した実施の形態には、以下の発明も含まれる。
【００５０】
（１）顕微鏡フレームの少なくとも左側面と後側面にカメラポートを具備した倒立顕微鏡において、
電装基板を内蔵した焦準部を顕微鏡フレームの右側面に配置したことを特徴とする倒立顕微鏡。
【００５１】
【発明の効果】
以上述べたように本発明によれば、カメラポート増設のための拡張性の充実を図ることができるとともに、同時撮影可能なカメラポートを増設できる倒立顕微鏡を提供できる。
【図面の簡単な説明】
【図１】本発明の第１の実施の形態の概略構成の前方向から見た断面図。
【図２】第１の実施の形態の概略構成の上方向から見た断面図。
【図３】本発明の第２の実施の形態の概略構成の前方向から見た断面図。
【図４】第２の実施の形態の概略構成の上方向から見た断面図。
【図５】本発明の第３の実施の形態の概略構成の上方向から見た断面図。
【図６】第３の実施の形態の概略構成の要部を拡大して示す図。
【符号の説明】
１…倒立顕微鏡フレーム
１ａ．１ｂ…開口部
１ｃ．１ｄ、１ｅ…穴
２…焦準部本体
２ａ…凹部
３…レボルバ保持台
４…ガイド機構
５…モータ
６…対物レンズレボルバ
７…電装基板
８…外部入力用コネクタ
９…カバー
１０…光学ユニット本体
１１…結像レンズ
１２…倍率変換レンズ
１２１…操作腕
１３…上蓋
１４ａ．１４ｂ…光路分割プリズム
１５…光路切換機構
１６…左サイドポートマウント
１７…カメラアダプタ
１８、２１…カメラ
１９…バックポートマウント
２０…カメラアダプタ
３１…ハーフミラー
３１１…操作腕
３２…上蓋
３３…カメラアダプタ
３４…結像レンズ
３５…カメラ
３６…分割ポートユニット本体
３６ａ．３６ｂ…開口部
３７…ハーフミラー
３８…スライド機構
３９、４１…カメラアダプタ
４０．４２…カメラ
５１…ミラー切換ユニット
５１１…開口部
５２…ミラー
５３…カメラアダプタ
５４…カメラ
【図１】
0004854870.tif 000002
【図２】
0004854870.tif 000003
【図３】
0004854870.tif 000004
【図４】
0004854870.tif 000005
【図５】
0004854870.tif 000006
【図６】
0004854870.tif 000007